(57)【要約】【課題】コントロールセンタのメンテナンス等に必要な装置情報を容易に取得可能なコントロールセンタ情報表示システム等を提供する。【解決手段】コントロールセンタ情報表示システムは、コントロールセンタと、携帯端末と、データサーバと、通信路とを備える。コントロールセンタは、機器と、機器に対応した装置情報を特定する識別子を有する識別表示を備え、携帯端末は、識別表示を読み取ることにより識別子を取得するリーダと、データサーバと送受信を行う第１送受信部と、取得した装置情報を表示する表示部を備える。データサーバは、識別子に対応する装置情報を格納する格納部と、携帯端末と送受信を行う第２送受信部を備える。リーダによって取得された識別子は第２送受信部に送信され、データサーバは送信された識別子によって特定された装置情報を格納部から取得し、当該装置情報を第１送受信部に送信して携帯端末の表示部で表示させる。【選択図】図６
2018137951.tif 000002
【特許請求の範囲】
【請求項１】
コントロールセンタと、携帯端末と、データサーバと、前記携帯端末と前記データサーバを接続する通信路とを備えるコントロールセンタ情報表示システムであって、
前記コントロールセンタは、前記コントロールセンタを構成する機器と、前記機器に対応した装置情報を特定可能な識別子を有する識別表示とを備え、
前記携帯端末は、前記識別表示を読み取ることにより前記識別子を取得するリーダと、前記データサーバとデータの送受信を行う第１送受信部と、前記データサーバから取得した装置情報を表示する表示部を備え、
前記データサーバは、前記識別子に対応する装置情報を格納する格納部と、前記携帯端末とデータの送受信を行う第２送受信部を備えており、
前記リーダによって取得された前記識別子は前記第１送受信部から前記データサーバの前記第２送受信部に送信され、前記データサーバは送信された前記識別子によって特定された装置情報を前記格納部から取得し、当該装置情報を前記第２送受信部から前記第１送受信部に送信し、当該装置情報を前記携帯端末の前記表示部で表示させる処理を実行するコントロールセンタ情報表示システム。
【請求項２】
前記機器は、外部機器を制御するコントロールユニットである請求項１に記載のコントロールセンタ情報表示システム。
【請求項３】
前記機器は、前記コントロールセンタの電源回路部である請求項１に記載のコントロールセンタ情報表示システム。
【請求項４】
前記識別子は、前記装置情報の名称、及び、格納場所を特定可能に構成される請求項１から３の何れか一項に記載のコントロールセンタ情報表示システム。
【請求項５】
前記コントロールセンタを開閉する扉を備えており、
前記識別表示は、前記扉の裏面に配置されている請求項１から４の何れか一項に記載のコントロールセンタ情報表示システム。
【請求項６】
内部に設置される機器と、
前記機器に対応した装置情報を特定可能な識別子を有する識別表示と、を備えたコントロールセンタ。
【請求項７】
前記機器は、外部機器を制御するコントロールユニットである請求項６に記載のコントロールセンタ。
【請求項８】
前記機器は、前記コントロールセンタの電源回路部である請求項６に記載のコントロールセンタ。
【請求項９】
前記識別子は、前記装置情報の名称、及び、格納場所を特定可能に構成される請求項６から８の何れか一項に記載のコントロールセンタ。
【請求項１０】
前記コントロールセンタを開閉する扉を備えており、
前記識別表示は、前記扉の裏面に配置されている請求項６から９の何れか一項に記載のコントロールセンタ。
【請求項１１】
コントロールセンタが備える機器に対応する位置に配置される識別表示を読み取ることにより、前記機器に対応した装置情報を特定可能な識別子を取得するリーダと、
前記装置情報を格納するデータサーバとデータの送受信を行う第１送受信部と、
前記データサーバから取得した前記装置情報を表示する表示部と、を備える携帯端末。
【請求項１２】
前記機器は、外部機器を制御するコントロールユニットである請求項１１に記載の携帯端末。
【請求項１３】
前記機器は、前記コントロールセンタの電源回路部である請求項１１に記載の携帯端末。
【請求項１４】
前記識別子は、前記装置情報の名称、及び、格納場所を特定可能に構成される請求項１１から１３の何れか一項に記載の携帯端末。
【請求項１５】
リーダで読み取り可能な識別表示が備え、コントロールセンタを構成する機器と前記機器に対応した装置情報を特定可能な識別子によって特定される装置情報を格納するデータ格納部と、
携帯端末の第１送受信部とデータの送受信を実行可能な第２送受信部と、を備え、
前記識別子によって特定された装置情報を前記格納部から取得し、取得した当該装置情報を前記第２送受信部から前記第１送受信部に送信するデータサーバ。
【請求項１６】
前記機器は、外部機器を制御するコントロールユニットである請求項１５に記載のデータサーバ。
【請求項１７】
前記機器は、前記コントロールセンタの電源回路部である請求項１５又は１６に記載のデータサーバ。
【請求項１８】
前記識別子は、前記装置情報の名称、及び、格納場所を特定可能に構成される請求項１５から１７の何れか一項に記載のデータサーバ。
【発明の詳細な説明】
【技術分野】
【０００１】
本発明の実施形態は、コントロールセンタ情報表示システム、コントロールセンタ、携帯端末、及びデータサーバに関する。
【背景技術】
【０００２】
従来、コントロールセンタのメンテナンスやトラブル対応を行う場合、コントロールセンタ、及び、コントロールセンタに設置されたコントロールユニット毎の用品リスト、回路図、外形図等の情報（以下、装置情報と称する）が必要となるが、これら装置情報はコントロールユニット毎に異なるため膨大な量であり、複数のすべてのコントロールセンタ、すべてのコントロールユニットの装置情報を持ち歩くことは現実的でない。また、この装置情報を電子データとして例えば持ち運び可能な携帯端末に格納し、適宜必要な装置情報を参照することが考えられるが、装置情報の容量が膨大であることから検索時間を要するため、目的の装置情報に容易に到達できないなどの問題があった。
【先行技術文献】
【特許文献】
【０００３】
【特許文献１】特開２００９−０５３９３４号公報
【発明の概要】
【発明が解決しようとする課題】
【０００４】
実施形態は、上記課題に鑑みたものであり、コントロールセンタのメンテナンスやトラブル処理を行う場合に、必要な装置情報を容易に取得可能なコントロールセンタ情報表示システム、コントロールセンタ、携帯端末、及びデータサーバを提供する。
【課題を解決するための手段】
【０００５】
実施形態に係るコントロールセンタ情報表示システム１０は、コントロールセンタと、携帯端末と、データサーバと、前記携帯端末と前記データサーバとを接続する通信路とを備える。前記コントロールセンタは、前記コントロールセンタを構成する機器と、前記機器に対応した装置情報を特定可能な識別子を有する識別表示を備え、前記携帯端末は、前記識別表示を読み取ることにより識別子を取得するリーダと、前記データサーバとデータの送受信を行う第１送受信部と、取得した装置情報を表示する表示部を備える。前記データサーバは、前記識別子に対応する装置情報を格納する格納部と、前記携帯端末とデータの送受信を行う第２送受信部を備える。前記リーダによって取得された前記識別子は前記第１送受信部から前記データサーバの前記第２送受信部に送信され、前記データサーバは送信された前記識別子によって特定された装置情報を前記格納部から取得し、当該装置情報を前記第２送受信部から前記第１送受信部に送信し、当該装置情報を前記携帯端末の前記表示部で表示させる処理を実行する。
【図面の簡単な説明】
【０００６】
【図１】実施形態に係るコントロールセンタ情報表示システムの概略構成を示す図
【図２】コントロールセンタの概略構成を示す図
【図３】携帯端末の概略構成を示すブロック図
【図４】データサーバの概略構成を示すブロック図
【図５】識別表示の配置場所を例示する図
【図６】処理内容を示すシーケンス図
【発明を実施するための形態】
【０００７】
以下、実施形態について図面に基づいて説明する。実施形態の説明において実質的に同一の構成部位には同一の符号を付し、説明を省略する。
実施形態について、図１から図６を参照して説明する。図１は実施形態に係るコントロールセンタ情報表示システム１０の概略構成を示す図である。図２は、コントロールセンタ１２の概略構成を示す斜視図、図３は携帯端末１６の概略構成を示すブロック図、図４はデータサーバ１８の概略構成を示すブロック図である。
【０００８】
図１に示すように、実施形態に係るコントロールセンタ情報表示システム１０は、コントロールセンタ１２、携帯端末１６、及びデータサーバ１８を備えている。リーダ１６ｂとデータサーバ１８は、通信路３０を介して接続し、データの授受が可能である。通信路３０としては例えばインターネット回線、無線ＬＡＮ、有線ＬＡＮなどのネットワーク通信路を用いることができる。通信路３０は無線接続による通信路であってもよいし、有線接続による通信路であってもよい。コントロールセンタ１２、携帯端末１６、及びデータサーバ１８は協働しながらコントロールセンタ１２の装置情報の表示のための処理を実施する。ここで、装置情報とは、コントロールセンタ、及び、コントロールセンタに設置されたコントロールユニット毎の用品リスト、回路図、外形図等の情報等を意味し、例えば、主回路相極色別・記号、電線の種類、補助回路配線、定格、構造、主要用品仕様、負荷容量、コントロールユニット形式等を一例として挙げることができる。いずれも、コントロールセンタ１２毎、コントロールユニット１３毎に異なるものであり、これらのメンテナンスを行う場合に必要な情報となる。
【０００９】
コントロールセンタ１２は識別表示１４を備えている。識別表示１４は、例えば、バーコード、ＱＲコード（登録商標）、又は、任意のマーク等を用いることができる。携帯端末１６は、識別表示１４を読み取るためのリーダ１６ｂ、及び、取得した装置情報を表示するための表示部１６ｃを備えている。
【００１０】
図２は、実施形態に係るコントロールセンタ１２の概略構成を示した斜視図であり、最上部の扉１２ａを開扉した状態を例示している。コントロールセンタ１２は、外枠が四角柱形状の箱体で構成された筐体で構成され、正面が開口する開口部に複数の扉１２ａ、及び扉１２ｂが配置されている。扉１２ａ、１２ｂはコントロールセンタ１２の前面を開閉可能に構成されている。コントロールセンタ１２内部は複数の図示しないスロットが設けられており、各スロットには例えばモータマルチリレーなどの外部機器を制御する複数のコントロールユニット（機器）１３が内部に設置されている。それぞれのコントロールユニット１３は、それぞれの正面を扉１２ａによって閉扉されることによってコントロールセンタ１２内に保管される構成となっている。各スロットに配置されるコントロールユニット１３はそれぞれ異なるものであり、それぞれのコントロールユニット１３に対応する装置情報は異なったものである。
【００１１】
識別表示１４は扉１２ａの裏側表面に設けられており、扉１２ａが開扉された状態で外部に露呈し、携帯端末１６のリーダ１６ｂによって読み取りが可能となる。この識別表示１４は、当該識別表示１４が配置されているコントロールユニット１３の内容に対応した識別子を備えており、リーダでコントロールユニット１３を読み取ることで、識別子を取得することができる。この識別子は、対応するコントロールユニット１３毎に異なるものであり、後述するデータサーバ１８のデータ格納部２０に格納された装置情報に紐づけられている。
【００１２】
図３は実施形態に係る携帯端末１６の概略構成を示すブロック図である。図３に示すように、携帯端末１６は制御部１６ａ、リーダ１６ｂ、表示部１６ｃ、及び送受信部１６ｄを備えている。携帯端末１６としては例えば持ち運び可能なノートパソコン、タブレット端末、スマートフォンなどが想定される。
【００１３】
制御部１６ａはＣＰＵ、ＲＡＭ及びＲＯＭ等により構成される記憶部、Ｉ／Ｏ、バス等を備えるマイコンを主体として構成されている。ＲＯＭには制御部１６ａによって携帯端末１６を制御する制御プログラムが格納されており、制御部１６ａは、ＣＰＵによって当該プログラムを読み込み、実行することにより、携帯端末１６の各部を制御するなどの所定の処理を実行している。リーダ１６ｂは識別表示１４を読み取るための機器である。表示部１６ｃとしては、例えば携帯端末１６が備えるカメラ装置を用いることができる。
【００１４】
リーダ１６ｂ、表示部１６ｃ及び送受信部１６ｄは制御部１６ａにより制御されている。リーダ１６ｂは、コントロールセンタ１２の扉１２ａ裏側に配置された識別表示１４を読み取ることにより当該識別表示１４が備える識別子を取得する。送受信部１６ｄは、通信路３０を介してデータサーバ１８と通信を行うことによりデータの送受信を行う機能を備えている。送受信部１６ｄは取得した識別子をデータサーバ１８に送信し、データサーバ１８から送信される装置情報を受信する機能を有する。この装置情報は識別表示１４から読み取った識別子によって特定される。表示部１６ｃは例えば液晶表示装置であり、受信した装置情報を表示する機能を有している。
【００１５】
図４は、実施形態に係るデータサーバ１８の概略構成を示すブロック図である。データサーバ１８は、制御部１８ａ、送受信部１８ｂ、複数のデータ格納部２０ａ、２０ｂ、、、２０ｎ、及びこれら複数のデータ格納部２０と制御部１８ａとを接続するデータバス１８ｃを備えている。制御部１８ａは、ＣＰＵ、ＲＡＭ及びＲＯＭ等により構成される記憶部、Ｉ／Ｏ等を備えるマイコンを主体として構成されている。ＲＯＭにはデータサーバ１８を制御する制御プログラムが格納されており、制御部１８ａはＣＰＵによって当該プログラムを呼出し実行することにより、データサーバ１８の各部を制御している。
【００１６】
送受信部１８ｂは通信路３０を介して携帯端末１６の送受信部１６ｄと接続し、携帯端末１６との間で、識別子の受信、装置情報等のデータの送受信を行う機能を備えている。データ格納部２０は、装置情報を格納している。制御部１８ａは取得した識別子に対応する装置情報を特定し、データ格納部２０からこれを取得する。制御部１８ａにより取得された装置情報は、送受信部１８ｂにより携帯端末１６に送信される。
【００１７】
図５はコントロールセンタ１２における識別表示１４の配置場所について説明するための斜視図である。コントロールセンタ１２のコントロールユニット１３を格納する扉１２ａのうちの二つ、及びコントロールセンタ１２の例えば電源回路部１２ｃの扉である扉１２ｂが開扉している状態を示している。識別表示１４は扉１２ａの裏側表面、及び、扉１２ｂの裏側表面に配置されている。識別表示１４が配置される位置は、コントロールセンタ１２が備えるユニット１３に対応する位置となっている。扉１２ａには当該扉１２ａによって閉じられているコントロールユニット１３に対応する装置情報を特定する識別子を備える識別表示１４ａ、１４ｂが配置されている。扉１２ｂには、例えばコントロールユニット１３以外の当該コントロールセンタ１２に対応する装置情報を特定する識別子を備える識別表示１４ｃが配置されている。図５において閉扉されている扉１２ａの裏面にも内部のコントロールユニット１３に対応する識別表示１４が配置されている。
【００１８】
通常、コントロールセンタ１２において、扉１２ａ、１２ｂは、コントロールセンタ１２の電源をオフしないと開扉できない構成になっている。従って、このように、識別表示１４を扉１２ａ、１２ｂの裏側に配置すると、コントロールセンタ１２の電源をオフにした後に扉１２ａ、１２ｂを開扉し、携帯端末１６によって識別表示１４の読み取りを行うことになるため、安全性に優れたコントロールセンタ情報表示システム１０を構築できる。
【００１９】
識別表示１４はこれを読み取ることにより識別子を取得できるように構成されている。データ格納部２０に格納された装置情報との紐づけは例えば以下のように行うことができる。
【００２０】
識別表示１４の識別子には、例えば対応する装置情報の種類を識別する第１識別子と装置情報の名称を識別する第２識別子を備えるようにすることができる。これに対して、データ格納部２０では、複数のデータ格納部２０ａ、２０ｂ、２０ｃ、、、２０ｎにおいて、例えば第１識別子に対してデータ格納部２０ａ、２０ｂ、２０ｃ、、、２０ｎを特定し、特定したデータ格納部２０内では第２識別子によって目的の装置情報（例えば文書ファイル名）を特定可能に構成するようにしてもよい。また、識別子としては、さらに、第３識別子、第４識別子、、、を備えるようにしてもよい。
【００２１】
また、あるいは、データサーバ１８に、識別子とこれに対応する装置情報の名称、及びその格納場所を対応させた対応テーブルを準備し、この対応テーブルを用いて識別子に対応する装置情報の格納場所と名称を特定する、という方法を用いてもよい。また、データ格納部２０における格納場所を階層構造とし、識別子を、当該階層構造を特定可能に構成することにより目的の装置情報を特定し、取得可能にすることもできる。
【００２２】
図６に実施形態のコントロールセンタ情報表示システム１０における処理内容を説明するためのシーケンス図を示す。まず、コントロールセンタ情報表示システム１０のコントロールセンタ１２において、コントロールセンタ１２のメンテナンス等を行うユーザが、扉１２ａ、１２ｂを開扉することにより（Ｓ１０）、扉１２ａ、１２ｂの裏側に配置された識別表示１４が露呈することにより（Ｓ１１）、識別表示１４が読み取り可能な状態となる。
【００２３】
次に、ユーザは、携帯端末１６のリーダ１６ｂによって識別表示１４を読み取ることにより（Ｓ１２）、識別表示１４が備える識別子を取得する（Ｓ１３）。なお、ここで、携帯端末１６においては、識別表示１４を読み取り、データサーバ１８に識別子を送信し、データサーバ１８から装置情報を取得してこれを表示することが可能なアプリケーションが準備されており、制御部１６ａにおいて当該アプリケーションが実行されることにより一連の処理が実行される。
【００２４】
次に、取得した識別子は、携帯端末１６の送受信部１６ｄから通信路３０を介してデータサーバ１８に送信される（Ｓ１４）。データサーバ１８は送受信部１８ｂにより識別子を受信し（Ｓ１５）、取得した識別子によって目的の装置情報を特定し（Ｓ１６）、データ格納部２０から当該装置情報を取得する（Ｓ１７）。次に、データ格納部２０から取得された装置情報は、送受信部１８ｂから通信路３０を介して携帯端末１６に送信される（Ｓ１８）。なお、ここで、データサーバ１８においては、データサーバ１８において実行される処理を行うアプリケーションが準備されており、制御部１８ａにおいて当該アプリケーションが実行されることにより一連の処理が実行される。
【００２５】
携帯端末１６の送受信部１６ｄは装置情報を受信し（Ｓ１９）、これを制御部１６ａで処理することにより表示部１６ｃで表示する（Ｓ２０）。以上のように、コントロールセンタ情報表示システム１０における処理が実行されることにより、ユーザは、携帯端末１６により識別表示１４を読み取ることにより、目的のコントロールユニット１３に対応する装置情報を取得し、携帯端末１６の表示部１６ｃに表示させることができる。
【００２６】
上記に説明した実施形態に係るコントロールセンタ情報表示システム１０、これを構成する携帯端末１６、及びデータサーバ１８によれば以下の効果を奏する。
コントロールセンタ１２のメンテナンスを行うユーザは、携帯端末１６によりコントロールセンタ１２の扉１２ａ、１２ｂの裏側に配置された識別表示１４を読み取ることで、対応する装置情報を特定可能な識別子を取得し、この識別子をデータサーバ１８に送信して、データサーバ１８のデータ格納部２０に格納された対応する装置情報の送信を受ける。
【００２７】
このように、メンテナンス対象のコントロールユニット１３に必要な装置情報は、当該コントロールユニット１３の扉１２ａに配置された識別表示１４が備える識別子によって特定されるため、ユーザは膨大な文書を持ち歩く必要も、膨大なデータ中から検索して目的の装置情報を特定する必要もない。従って、コントロールセンタ１２のメンテナンスにおいて、必要な装置情報を取得するための労力が軽減されることになり、メンテナンス時の利便性が向上するとともに作業時間の短縮化に貢献する。
【００２８】
また、ユーザは、コントロールセンタ１２の扉１２ａを開扉し、識別表示１４を携帯端末１６の携帯端末１６で読み取るだけで、当該扉１２ａに対応するコントロールユニット１３に必要な装置情報を取得し、表示部１６ｃに表示させることができる。このように簡単な操作で必要な装置情報を取得することができるため、ユーザの労力が軽減され、メンテナンス時の利便性が向上するとともに作業時間の短縮化に貢献する。
【００２９】
また、識別表示１４はコントロールセンタ１２の扉１２ａ、１２ｂの裏側に配置されているため、ユーザはコントロールセンタ１２の電源をオフした後にしか識別表示１４の読み取りを行うことができない。従って、メンテナンス時の安全性が向上する。
【００３０】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１０…コントロールセンタ情報表示システム、１２…コントロールセンタ、１２ａ、１２ｂ…扉、１２ｃ…電源回路部（機器）、１３…コントロールユニット（機器）、１４…識別表示、１６…携帯端末、１６ａ、１８ａ…制御部、１６ｂ…リーダ、１６ｃ…表示部、１６ｄ…送受信部（第１送受信部）、１８ｄ…送受信部（第２送受信部）、１８…データサーバ、２０、２０ａ、２０ｂ、、、２０ｎ…データ格納部、３０…通信路
【図１】
2018137951.tif 000003
【図２】
2018137951.tif 000004
【図３】
2018137951.tif 000005
【図４】
2018137951.tif 000006
【図５】
2018137951.tif 000007
【図６】
2018137951.tif 000008